(57)【要約】      （修正有）【課題】ロールボックスパレットをより使い易くすることができるロールボックスパレットの扉のロック装置を提供する。【解決手段】ロールボックスパレットにおいて、扉の開き側に配設された柱部材３２ｂに、回転可能に外挿される筒状の支持部４ｂを有する係止バー取付部材４と、柱部材３２ｂに外挿され、係止バー取付部材４の支持部４ｂ底面に当接した状態で固定されるリング状の受部材５とを設け、受部材５の上面の一部、若しくは全面を、ロールボックスパレットの背面側に傾斜させ、その傾斜面５ａと同じ勾配を有する傾斜面４ｃを、係止バー取付部材４の支持部４ｂ底面に設け、係止バーがロールボックスパレットの側面に沿う位置にあるとき、係止バー取付部材４の傾斜面４ｃと受部材５の傾斜面５ａとが当接させ、係止バー３を停止させる。【選択図】  図８
2005076266.tif 000002
【特許請求の範囲】
【請求項１】
ロールボックスパレットの正面に設けられる片開きの扉と、該扉の正面に固定される係止具と、該係止具に係脱可能な係止バーとを備え、該係止バーを前記係止具に係止させることにより前記扉をロックすることができるロールボックスパレット用の扉のロック装置であって、
前記扉の開き側に配設された柱部材に、回転可能に外挿される筒状の支持部を有する係止バー取付部材と、
前記柱部材に外挿され、前記係止バー取付部材の支持部底面に当接した状態で固定されるリング状の受部材とを備え、
前記受部材の上面の一部、若しくは全面を、前記ロールボックスパレットの背面側に傾斜させ、その傾斜面と同じ勾配を有する傾斜面を、前記係止バー取付部材の支持部底面に設け、前記係止バーがロールボックスパレットの側面に沿う位置にあるとき、前記係止バー取付部材の傾斜面と前記受部材の傾斜面とが当接し、前記係止バーを停止させることを特徴とするロールボックスパレット用の扉のロック装置。
【請求項２】
前記係止バーと係止バー取付部材と受部材とが、前記柱部材の上部と下部とにそれぞれ配置されるとともに、上下の前記各係止バーに対応する高さに、前記係止具がそれぞれ配置され、前記各係止バーは、一端部が前記係止バー取付部材に軸支されて、上下方向に旋回可能であるとともに、上下方向に旋回させることで前記係止具に対して係脱可能となっており、前記係止バーどうしが、各係止バーに両端部がそれぞれ軸支されているリンク部材で連結されていることを特徴とするロールボックスパレット用の扉のロック装置。
【発明の詳細な説明】
【技術分野】
【０００１】
本発明は、片開きの扉を備えたロールボックスパレット用の扉のロック装置に関するものである。
【背景技術】
【０００２】
従来、生鮮食品など保冷が必要な物品を輸送する場合、気密・断熱構造を有する箱型のコールドロールボックスパレットが用いられることがある。コールドロールボックスパレットは、６面が断熱パネルで構成されており、正面にロック機構を備えた扉が設けられている。また、底面の四隅には、キャスターが取付けられており、移動やトラック等の荷台への積み込み・積み下ろし等が容易に行えなるようになっている。
【０００３】
このようなコールドロールボックスパレットは、コスト的に割高なため、設備として導入しづらいことがある。そこで出願人は、従来のロールボックスパレットに冷蔵機能を付加することによりコストを抑えた、冷蔵用ロールボックスパレットを提案し既に出願している。この冷蔵用ロールボックスパレットは、断熱パネルで構成した函体をロールボックスパレットの枠体の内側に固定したもので、正面に物品を出し入れする扉が設けられている。扉は、正面に固定されている係止具に係止バーを係止させることで、ロックできるようになっている（特許文献１参照）。
【０００４】
ところで、上述のような冷蔵用ロールボックスパレットに物品を収納する場合、あらかじめ冷蔵用ロールボックスパレットを大型の冷蔵庫内に所定時間保管して予冷を行なう。その際、冷蔵用ロールボックスパレットの扉は開放した状態にしておき、内部が十分に冷却されるようにしている。こうして内部を冷却した冷蔵用ロールボックスパレットに物品を収納した後に扉を閉じ密閉状態にして配送等を行なうのである。
【特許文献１】特願２００３−２９２２５２号（図１および３）
【発明の開示】
【発明が解決しようとする課題】
【０００５】
しかしながら、このような冷蔵用ロールボックスパレットを、大型冷蔵庫内に出し入れしたり、移動させたりする場合に、係止バーが動くなどして作業の邪魔になることがある。また、複数の冷蔵用ロールボックスパレットを並べて保管する場合には、ロックを解除している係止バーが、他の冷蔵用ロールボックスルパレットに当たって損傷させる場合もある。
【０００６】
本発明は、上記の問題点に鑑みてなされたもので、扉のロックを解除した後の係止バーを、作業の邪魔にならない位置で停止させることで、ロールボックスパレットをより使い易くすることができるロールボックスパレット用の扉のロック装置を提供する。
【課題を解決するための手段】
【０００７】
上記の課題を解決するため、請求項１に係る本発明のロールボックスパレット用の扉のロック装置は、ロールボックスパレットの正面に設けられる片開きの扉と、該扉の正面に固定される係止具と、該係止具に係脱可能な係止バーとを備え、該係止バーを前記係止具に係止させることにより前記扉をロックすることができるロールボックスパレット用の扉のロック装置であって、
前記扉の開き側に配設された柱部材に、回転可能に外挿される筒状の支持部を有する係止バー取付部材と、
前記柱部材に外挿され、前記係止バー取付部材の支持部底面に当接した状態で固定され
るリング状の受部材とを設ける。
【０００８】
前記受部材の上面の一部、若しくは全面を、前記ロールボックスパレットの背面側に傾斜させ、その傾斜面と同じ勾配を有する傾斜面を、前記係止バー取付部材の支持部底面に設け、前記係止バーがロールボックスパレットの側面に沿う位置にあるとき、前記係止バー取付部材の傾斜面と前記受部材の傾斜面とが当接し、前記係止バーを停止させることを特徴としている。
【０００９】
また、請求項２に係る本発明のロールボックスパレット用の扉のロック装置は、前記係止バーと係止バー取付部材と受部材とを、前記柱部材の上部と下部とにそれぞれ配置するとともに、上下の前記各係止バーに対応する高さに、前記係止具をそれぞれ配置する。前記各係止バーは、その一端部を前記係止バー取付部材に軸支させることにより、上下方向に旋回可能にし、さらに、上下方向に旋回することで前記係止具に対して係脱可能とする。そして、前記係止バーどうしを、各係止バーに両端部がそれぞれ軸支されているリンク部材で連結することを特徴としている。
【００１０】
請求項１と２のロック装置によれば、前記扉のロックを解除した後の前記係止バーは、柱部材周りに旋回させ、前記ロールボックスパレットの側面に沿う位置で停止させておくことで、作業の邪魔にならず、ロールボックスパレットの移動や、物品の収納等の作業がし易くなる。
【００１１】
さらに、請求項２のロック装置のように、上部と下部の前記係止バーをリンク部材で連結しておけば、いずれか一方の前記係止バーを旋回させると、他方の前記係止バーも旋回させることができる。つまり、一方の前記係止バーを上下方向に旋回すれば、他方も前記係止バーも同じように上下方向に旋回し、一方の前記係止バーを柱部材周りに旋回させれば、他方の前記係止バーも柱部材の軸芯を中心として旋回する。
【００１２】
したがって、上下の前記係止バーの係止具からの係脱や前記ロールボックスパレットの側面側への折畳みを容易に行うことができる。また、前記係止バーを前記ロールボックスパレットの上部と下部とに配置しているので、前記扉を、手間を掛けずに確実にロックすることができる。
【００１３】
なお、本発明のロック装置は、ロールボックスパレットの扉の位置を説明の便宜上正面としているが、正面に限らず一側面、若しくは両側面に扉を配置したロールボックスパレットにも適応することができ、その場合、前記受部材の傾斜は、反対側の側面へ向かって傾斜させるようにする。
【発明の効果】
【００１４】
上述の本発明にかかるロールボックスパレット用の扉のロック装置によれば、ロックを解除した状態の係止バーを、ロールボックスパレット側面に沿わせた状態で停止させることができるので、係止バーが旋回して作業の邪魔になることがなく、ロールボックスパレットの移動等を楽に行なえるようになる。また、大型の冷蔵庫内等で複数のロールボックスパレットを順次並べていく際にも、係止バーが勝手に旋回することがないので、作業が楽になるとともに、手早く作業を終わらせることができる。
【発明を実施するための最良の形態】
【００１５】
本発明にかかるロールボックスパレットの扉のロック装置の実施形態について、図面１〜８を参照しつつ以下に説明する。
【００１６】
図１はロールボックスパレットの正面図であり、図２はロールボックスパレットの左側
面図である。図３（ａ）は図１における係止バー取付部材周辺の部分拡大図で、図３（ｂ）と（ｃ）とはそれぞれ、図１におけるロック装置のＡ−Ａ矢視断面図とＢ−Ｂ矢視断面図である。図４（ａ）は係止バーを係脱可能な係止具の正面図で、図４（ｂ）はその縦断面図である。図５（ａ）、（ｂ）、（ｃ）はそれぞれ、受部材の平面図、側面図、背面図である。図６（ａ）、（ｂ）、（ｃ）はそれぞれ、係止バー取付部材の平面図、側面図、背面図である。図７は、扉がロックされた状態の係止バー取付部材と受部材との関係を示す説明図であり、ロールボックスパレットの正面側斜め上方から見た図である。図８は上下の係止バーを平面視反時計回りに約２７０度旋回させた状態の係止バー取付部材と受部材との関係を示す説明図であり、ロールボックスパレットの右側面後方の斜め上方から見た図である。
【００１７】
図１〜３に示すように、ロック装置１は、ロールボックスパレット３０の扉３１ａの正面に固定された上下の係止具２に、係止バー３をそれぞれ係止させることで、扉３１ａをロックするものである。
【００１８】
ロールボックスパレット３０は、断熱パネルで六面を構成した函体３１を枠体３２の内側に固定したもので、物品を出し入れする扉３１ａを正面に設けている。この扉３１ａは、一側端部が枠体３２の柱部材３２ａに水平方向に旋回可能に取付けられていて、片開きするようになっている。また、枠体３２の底面の四隅にはキャスター３３を配置し、移動を容易にしている。
【００１９】
ロック装置１の係止バー３は、扉３１ａの開き側にある柱部材３２ｂの上部と下部とに一本ずつ配置されており、一端部が柱部材３２ｂの上下に配置されている係止バー取付部材４の取付片４ａにそれぞれ軸支されて、上下方向に旋回可能となっている。上下の係止バー３はフラットバーで形成されていて、係止具２に係止させる部分に段差が設けられている。また、上の係止バー３は、下の係止バー３よりも長めに形成して握り部分を設けている。
【００２０】
係止バー取付部材４は、断面Ｃ型に形成された筒状の支持部４ｂを有しており、その隙間の両側の外周面に、板状の取付片４ａを、互いに平行となるようにそれぞれ突設したもので、これらの取付片４ａ間で上下の各係止バー３が軸支されているのである。そして、各係止バー取付部材４は、支持部４ｂで柱部材３２ｂを抱き込んだ状態で取付けられており、柱部材３２ｂ周りに旋回可能となっている。また、各係止バー取付部材４は、柱部材３２ｂに外挿され、支持部４ｂの底面に当接した状態で固定されているリング状の受部材５によって下から支えられており、この受部材５と、柱部材３２ｂに外挿されて、支持部４ｂの上に固定されているリング部材６とで、上下方向の動きが拘束されている。
【００２１】
このような係止バー取付部材４に、上下方向に旋回可能に取付けられている係止バー３どうしは、各係止バー３に両端部が軸止されているリンク部材７で連結されていて、一方を動かすことにより他方も同時に旋回できるようになっている。
【００２２】
係止バー３を係止する各係止具２は、上下の各係止バー３に対応する高さにそれぞれ配置されており、図４に示すように、略四角形のベースプレート２ａの中央部に、断面Ｌ型の係止片２ｂを一体に設けたもので、この係止片２ｂとベースプレート２ａとで挟み込むようにして係止バー３を係止している。係止片２ｂの上部はベースプレート２ａと反対側にわずかに曲げられており、係止バー３の挟み込みをスムーズに行なえるようにしている。
【００２３】
このようなロック装置１は、各係止バー３を係止具２から外して平面視時計回りに旋回させると、約２７０度旋回した位置で停止させることができるようになっている。その仕
組みは、受部材５の上面の一部に、図５（ａ）〜（ｃ）に示すように、ロールボックスパレット３０の背面側に向かって下り勾配となる傾斜面５ａを設け、この傾斜面５ａと同じ勾配を有する傾斜面４ｃを、上下各係止バー取付部材４の支持部４ｂの下面に設ける（図６（ａ）〜（ｃ）参照）。
【００２４】
したがって、扉３１ａをロックしている状態では、図７にしめすように、支持部４ｂの下面の水平面４ｄと受部材５の上面の水平面５ｂとが接触した状態となる。また、扉３１ａのロックを解除して、上下係止バー３を平面視時計回りに約２７０度旋回させると、図８に示すように、支持部４ｂの傾斜面４ｃと受部材５の傾斜面５ａとが接触した状態となるので、取付部材４は受部材５に対して回転しにくくなり、ある程度力を加えない限り上下の係止バー３をその位置で停止させておくことができる。
【００２５】
次に、ロック装置１の作用効果について詳しく説明する。
【００２６】
ロールボックスパレット３０の扉３１ａのロックを解除するには、上の係止バー３を握り部分を掴んで上方へ旋回させる。すると、同時に下の係止バー３が上方へ旋回し、上の係止バー３が係止具２から外れると、下の係止バー３も係止具２から外れた状態となるので、扉のロックが解除される。
【００２７】
扉３１ａのロックを解除した状態で、上の係止バー３を平面視時計回りに旋回させると、それに伴って下の係止バー３も同方向に旋回し、上下係止バー３を約２７０度旋回させ、枠体３２の側面に沿うような位置で停止させておく（図３（ｂ）、（ｃ）参照）。そうすれば、ロールボックスパレット３０の予冷を行なう際の作業がし易くなる。つまり、複数のロールボックスパレット３０を大型の冷蔵庫内で予冷する際、ロック装置１の上下の係止バー３が勝手に旋回することがないので、扉３１ａだけを２７０度開放した状態に保って順次並べていけば良く、作業を楽に行なえるのである。また、ロールボックスパレット３０は、開放した扉３１ａを隣のロールボックスパレット３０の側面に押し当てるようにして並べるので、扉３１ａが予冷中に勝手に閉まるようなことがない。
【００２８】
こうして内部を十分に冷却したロールボックスパレット３０を大型冷蔵庫から出し、保冷する物品を内部に収納する。そして、扉３１ａを閉じた後、上下の係止バー３を平面視反時計回りに旋回させて元の位置に戻し、上の係止バー３を下方に旋回させることで下の係止バー３も下方に旋回させ、各係止具２に上下各係止バー３を挟み込んで扉３１ａをロックする。扉３１ａがロックされると、ロールボックスパレット３０内は気密性が保たれるので、収納された物品の保冷を行ないつつ配送等が可能となる。
【００２９】
なお、本実施形態では、冷蔵用のロールボックスパレットを用いてロック装置について説明を行っているが、当然ながらこれに限ることはなく、略矩形の積載台上の各辺縁部にそれぞれ柵を立設し、正面の柵を片開きの状態で開閉可能としたロールボックスパレットにも適応することができる。
【図面の簡単な説明】
【００３０】
【図１】ロールボックスパレットの正面図である。
【図２】ロールボックスパレットの左側面図である。
【図３】（ａ）は図１における係止バー支持部材周辺の部分拡大図であり、（ｂ）は図１におけるロック装置のＡ−Ａ矢視断面図で、（ｃ）は図１におけるＢ−Ｂ矢視断面図である。
【図４】（ａ）は係止具の正面図で、（ｂ）は縦断面図である。
【図５】（ａ）は受部材の平面図、（ｂ）は側面図、（ｃ）は背面図である。
【図６】（ａ）は係止バー支持部材の平面図、（ｂ）は側面図、（ｃ）は背面図である。
【図７】扉がロックされた状態の係止バー取付部材と受部材との関係を示す説明図である。
【図８】上下の係止バーを平面視反時計回りに約２７０度旋回させた状態の係止バー取付部材と受部材との関係を示す説明図である。
【符号の説明】
【００３１】
１  ロック装置
２  係止具
３  係止バー
４  係止バー取付部材
４ｃ  傾斜面
５  受部材
５ａ  傾斜面
６  リング部材
３０  ロールボックスパレット
３１  函体
３１ａ  扉
３２  枠体
３２ｂ  柱部材
【図１】
2005076266.tif 000003
【図２】
2005076266.tif 000004
【図３】
2005076266.tif 000005
【図４】
2005076266.tif 000006
【図５】
2005076266.tif 000007
【図６】
2005076266.tif 000008
【図７】
2005076266.tif 000009
【図８】
2005076266.tif 000010